(57)【要約】【課題】  排水配管の補修について、確実に補修を行うことを可能とし、施工性を向上させることを課題とする。【解決手段】  排水配管は底面に形成された第一の排水口Ｈ１と、側面に形成された第二の排水口Ｈ２を有する槽体を備え、第一の排水口Ｈ１から連続する第一の排水流路Ｐ１と、第二の排水口Ｈ２から連続し、第一の排水流路Ｐ１へと合流する第二の排水流路Ｐ２が形成されている。当該排水配管に対して、オーバーフロー部材４及び連結管５を除く各部材を取り外し、排水口部材１、エルボ管２、枝管部材８、排水トラップ１３等の新規の排水配管を接続する。次に、既設の連結管５と合流部１８１を、可撓性を有する接続継手９を介して接続する。これにより、合流部１８１が補修前の排水配管と異なる位置に配置された場合であっても、第二の排水流路Ｐ２を第一の排水流路Ｐ１に合流させることが可能となる。【選択図】図４
2020200624.tif 000002
【特許請求の範囲】
【請求項１】
第一の排水口及び第二の排水口を有する槽体と、
第一の排水口から連続する第一の排水流路と、
第二の排水口から連続し、第一の排水流路に形成された合流部へと合流される第二の排水流路を備える排水配管の補修に使用される接続継手であって、
少なくとも第二の排水流路の一部は既設の排水配管が使用され、
一端が合流部に接続されるとともに、他端が既設の排水配管に接続されることを特徴とする接続継手。
【請求項２】
上記第二の排水口が、槽体の側面に形成されたオーバーフロー排水口であることを特徴とする請求項１に記載の接続継手。
【請求項３】
上記第二の排水口が、他の槽体に形成された排水口であることを特徴とする請求項１に記載の接続継手。
【請求項４】
上記合流部は、
既設の排水配管と交換された排水配管に形成されていることを特徴とする請求項１乃至請求項３のいずれか１つに記載の接続継手。
【請求項５】
前記接続継手は可撓性を有することを特徴とする請求項１乃至請求項４のいずれか１つに記載の接続継手。
【請求項６】
前記接続継手は合流部と既設の排水配管に接続された状態で、別の箇所に固定される固定部を備えることを特徴とする請求項１乃至請求項５のいずれか１つに記載の接続継手。
【請求項７】
前記排水流路は、内部に封水を貯留する排水トラップを備えるとともに、
合流部はトラップの上流側に形成されていることを特徴とする請求項１乃至請求項６のいずれか１つに記載の接続継手。
【請求項８】
請求項１乃至請求項７のいずれか１つに記載の接続継手を用いた排水配管の補修方法であって、
既設の排水配管と合流部の接続を解除した後、
接続継手の一端を合流部に接続するとともに、他端を上記既設の排水配管に接続することを特徴とする排水配管の補修方法。
【請求項９】
少なくとも合流部を有する既設の排水配管を取り換える工程と、
当該取り替えた新規の排水配管の合流部に接続継手の一端を接続する工程を有することを特徴とする請求項８に記載の排水配管の補修方法。
【発明の詳細な説明】
【技術分野】
【０００１】
本発明は、排水配管の補修に用いられる接続継手、及び当該接続継手を用いた排水配管の補修方法に関するものである。
【背景技術】
【０００２】
特許文献１に記載の排水配管において、槽体は底面及び側面に開口を有し、底面に形成された開口には排水トラップが取り付けられることによって、第一の排水口が形成されている。一方、側面に形成された開口にはエルボ状のオーバーフロー部材が取り付けられることによって、第二の排水口が形成されている。上記第一の排水口には下水側へと繋がる第一の排水流路が連続しており、槽体内の湯水を排出するとともに、第二の排水口には連結管が接続されることによって、オーバーフロー部材と第一の排水流路を繋ぐ第二の排水流路が形成されている。
上記槽体内に吐出された湯水は第一の排水口へと流入し、第一の排水流路を通じて下水側へ排出される。一方、槽体内に湯水が貯留されると、余剰水がオーバーフロー部材へと流入し、第二の排水流路を通じて第一の排水流路と合流した後、下水側へと排出されることで槽体から湯水が溢れないように構成されている。
【０００３】
特許文献２に記載の排水配管は、底面に開口が形成された２つの槽体を備えている。それぞれの槽体は底面の開口に排水トラップと排水口部材が取り付けられることによって、第一の排水口と第二の排水口が形成されている。尚、第一の排水口から連続する第一の排水流路と、第二の排水口から連続する第二の排水流路は合流部によって合流している。
【先行技術文献】
【特許文献】
【０００４】
【特許文献１】実公昭６２−３５７３１号公報
【特許文献２】特開平８−１７０３５５号公報
【発明の概要】
【発明が解決しようとする課題】
【０００５】
上記排水配管は老朽化に伴う意匠性の低下、漏水、異臭等の理由から、部材の取り換えや修理を伴う補修を行うことがある。
ここで、一般的に槽体の底面に形成された開口は円形であり、その径はある程度共通化されている。従って、排水口周縁の補修を行う場合において、槽体底面に取り付けられた排水トラップ等の排水配管を取り換えることは比較的容易である。一方、槽体の側面に形成された開口は、矩形や楕円形等、槽体毎に大きく形状が相違し、専用の形状を有するオーバーフロー部材等の排水配管が取り付けられている場合が多い。そのため、オーバーフロー部材は取り換えるための新規な部材を用意しておくことが難しい。又、オーバーフロー部材及び連結管は槽体の裏面等の狭い隙間に配置されていることが多く、取り換えの作業を行うことが困難であった。
しかし、上記理由よりオーバーフロー部材及び連結管については既設の排水配管を利用し、その他の排水配管を取り換えることによって補修を行うと、合流部が補修前の排水配管と異なる位置に配置された場合に連結管が取り換えられた排水配管の合流部に接続ができないという問題があった。尚、連結管が可撓性を有する場合、ある程度位置の調整を行うことも可能であるが、内部に蓄積された汚れや経年劣化によって連結管が硬化している場合があり、連結管の長さが足りている場合であっても、排水配管の合流部に接続することが困難な場合があった。
【０００６】
尚、先述したように、槽体側面に取り付けられたオーバーフロー部材等の排水配管の取り換えに比べ、槽体底面に取り付けられた排水トラップ等の排水配管を取り換えることは比較的容易であるが、槽体の底面に形成された開口の形状が非円形であったり、排水口部材自体が錆びてしまっていたりすることにより、槽体底面に取り付けられた排水配管を取り換えることが困難となる場合も存在する。従って、例えば特許文献２に記載の排水配管のように、各槽体の底面に取り付けられた排水配管について、第一の排水流路を形成する排水配管は取り換えにより補修できたが、第二の排水流路を形成する排水配管は錆等の理由によって既設の排水配管を使用しなければならないことがある。この時、既設の排水配管の長さが足りない、又は汚れや経年劣化によって硬化している等の理由により、第二の排水流路を第一の排水流路を合流させることができないという問題が生じていた。
【０００７】
本発明は上記問題に鑑み、排水配管の補修について、確実に補修を行うことを可能とし、施工性を向上させることを課題とする。
【課題を解決するための手段】
【０００８】
上記課題を解決するための請求項１に記載の本発明は、第一の排水口及び第二の排水口を有する槽体と、
第一の排水口から連続する第一の排水流路と、
第二の排水口から連続し、第一の排水流路に形成された合流部へと合流される第二の排水流路を備える排水配管の補修 に使用される接続継手であって、
少なくとも第二の排水流路の一部は既設の排水配管が使用され、
一端が合流部に接続されるとともに、他端が既設の排水配管に接続されることを特徴とする接続継手である。
【０００９】
尚、第一の排水口及び第二の排水口は、同一の槽体が有していても良く、異なる槽体が有していても良い。
【００１０】
請求項２に記載の本発明は、上記第二の排水口が、槽体の側面に形成されたオーバーフロー排水口であることを特徴とする請求項１に記載の接続継手である。
【００１１】
請求項３に記載の本発明は、上記第二の排水口が、他の槽体に形成された排水口であることを特徴とする請求項１に記載の接続継手である。
【００１２】
請求項４に記載の本発明は、上記合流部は、
既設の排水配管と交換された排水配管に形成されていることを特徴とする請求項１乃至請求項３のいずれか１つに記載の接続継手である。
【００１３】
請求項５に記載の本発明は、前記接続継手は可撓性を有することを特徴とする請求項１乃至請求項４のいずれか１つに記載の接続継手である。
【００１４】
請求項６に記載の本発明は、前記接続継手は合流部と既設の排水配管に接続された状態で、別の箇所に固定される固定部を備えることを特徴とする請求項１乃至請求項５のいずれか１つに記載の接続継手である。
【００１５】
請求項７に記載の本発明は、前記排水流路は、内部に封水を貯留する排水トラップを備えるとともに、
合流部はトラップの上流側に形成されていることを特徴とする請求項１乃至請求項６のいずれか１つに記載の接続継手である。
【００１６】
請求項８に記載の本発明は、請求項１乃至請求項７のいずれか１つに記載の接続継手を用いた排水配管の補修方法であって、
既設の排水配管と合流部の接続を解除した後、
接続継手の一端を合流部に接続するとともに、他端を上記既設の排水配管に接続することを特徴とする排水配管の補修方法である。
【００１７】
請求項９に記載の本発明は、少なくとも合流部を有する既設の排水配管を取り換える工程と、
当該取り替えた新規の排水配管の合流部に接続継手の一端を接続する工程を有することを特徴とする請求項８に記載の排水配管の補修方法である。
【発明の効果】
【００１８】
本発明によれば、排水配管の補修に伴い、合流部が補修前の排水配管と異なる位置に配置された場合であっても、第二の排水流路を第一の排水流路に合流させることが可能となる。又、本発明は接続継手によって既設の排水配管と合流部を接続することから、既設の排水配管が硬化し、可撓性を失っている状態であっても、容易に排水配管の補修を行うことができる。又、接続継手は固定部を有することによって第二の排水流路内が逆勾配になることを防ぐことが可能となる。
【図面の簡単な説明】
【００１９】
【図１】既設の排水配管を示す断面図である。
【図２】補修に用いられる新規な排水配管を示す断面図である。
【図３】接続継手を示す断面図である。
【図４】補修が完了した状態を示す断面図である。
【図５】第二実施形態に係る既設の排水配管を示す断面図である。
【図６】補修が完了した状態を示す断面図である。
【発明を実施するための形態】
【００２０】
以下、図面を参照しながら排水配管及び接続継手を説明する。尚、以下に記載する発明は実施形態の理解を容易にするためのものであり、これによって発明が制限して理解されるものではない。
【００２１】
図１を用いて既設の排水配管について説明する。
槽体Ｂ１は流し台であって、底面に形成された第一の排水口Ｈ１と、側面に形成された第二の排水口Ｈ２を有している。
第一の排水口Ｈ１は槽体Ｂ１の底面に形成された開口に排水トラップ３が取り付けられることによって形成された排水口である。排水トラップ３は内部に封水を形成し、下流側からの臭気や害虫の逆流を防ぐ部材であり、その下端には直管１００が接続されているとともに、側面に形成された合流部８１には連結管５が接続されている。
第二の排水口Ｈ２は槽体Ｂ１の側面に形成された開口にオーバーフロー部材４が取り付けられることによって形成されたオーバーフロー排水口であり、当該オーバーフロー部材４には連結管５が接続されている。尚、図示を省略するが、槽体Ｂ１の側面に形成された開口は、正面視において非円形形状を成し、取り付けられるオーバーフロー部材４は槽体Ｂ１にのみ使用される専用部材である。
【００２２】
オーバーフロー部材４は槽体Ｂ１の側面に形成された開口に取り付けられた、断面視略Ｌ字状のエルボ部材であり、下流側端部において連結管５が接着されている。連結管５は可撓性を有する塩ビ製のホース管であり、下流側端部にはソケット６及びナット部材７が取り付けられている。尚、連結管５は、一端がオーバーフロー部材４の端部に接着されているとともに、他端がナット部材７によって排水トラップ３の側面に形成された合流部８１に接続されている。
【００２３】
上記既設の排水配管は第一の排水口Ｈ１から連続する第一の排水流路Ｐ１と、第二の排水口Ｈ２から連続し、合流部８１において第一の排水流路Ｐ１へと合流する第二の排水流路Ｐ２が形成されている。
【００２４】
次に、補修によって上記既設の排水配管と交換される新規の排水配管と、補修に使用される接続継手９について図２及び図３を用いて詳細に説明する。
【００２５】
排水口部材１は上端に外フランジを有し、ナット部材と螺合されることによって槽体Ｂ１底面に形成された開口に取り付けられる。又、排水口部材１は槽体Ｂ１に取り付けられた状態において、槽体Ｂ１内の湯水を排出する排水口である第一の排水口Ｈ１を形成し、下流側端部にはエルボ管２が取り付けられている。
【００２６】
エルボ管２は略水平に形成された横管部と、略垂直に形成された縦管部を備えており、縦管部下端に枝管部材８が接続されている。
【００２７】
枝管部材８は合流部１８１が側面に形成された継手であり、上流側にはエルボ管２、下流側には排水トラップ１３が接続可能となっているとともに、合流部１８１には接続継手９が接続可能となっている。尚、合流部１８１は略水平方向に突設された円筒状の枝管部であり、その外周にはナット部材１７に対応する雄螺子が形成されている。
【００２８】
排水トラップ１３は管体を略Ｓ字状に屈曲させた管体であり、内部に封水を形成することによって臭気や害虫の逆流を防止することが可能となっている。又、排水トラップ１３の下端は床下から延びる直管１００に接続される。
【００２９】
図３に示すように、接続継手９は可撓性を有するホース管であって、ホース９１、ソケット９２ａ、ソケット９２ｂ、ナット部材１７から構成されている。ホース９１は可撓性を有する塩ビ製であり、その一端にソケット９２ａが接着されているとともに、他端にはソケット９２ｂが接着されている。ソケット９２ａは外周において、固定部９３と雄螺子を有している。尚、雄螺子は既設の連結管５に取り付けられているナット部材７の雌螺子と螺合可能となっている。ソケット９２ｂはナット部材１７の抜脱を防ぐ鍔部が形成されている。
【００３０】
次に、排水配管の補修方法について説明する。
【００３１】
まず、既設の排水配管に対して、槽体Ｂ１よりオーバーフロー部材４及び連結管５を除く各部材を取り外す。
次に、槽体Ｂ１に対して排水口部材１、エルボ管２、枝管部材８、排水トラップ１３を接続する。この時、エルボ管２の横管部及び縦管部、及び直管１００を適宜切断するとともに、各部材の接続箇所を回転させることによって、排水トラップ１３が直管１００に接続できるように高さや位置合わせを行う。
次に、接続継手９に対し、ホース９１の長さを適宜切断して長さを調整した後、ホース９１の両端にソケット９２ａ、ソケット９２ｂ、ナット部材１７を取り付ける。そして、ソケット９２ａと既設の連結管５の端部に取り付けられたナット部材７を螺合させるとともに、ソケット９２ｂと合流部１８１を螺合させることによって、既設の連結管５と合流部１８１を接続継手９を介して接続する。
最後に、固定部９３にヒモ等の支持部材の一端を取り付け、槽体Ｂ１裏面に取り付けたフック１２０に支持部材の他端を取り付けることによって、連結管５又は接続継手９内部が逆勾配とならないように接続継手９を固定する。
【００３２】
上記各工程により補修された排水配管は、図４に示すように、排水口部材１によって槽体Ｂ１の底面に形成された排水口である第一の排水口Ｈ１から連続する第一の排水流路Ｐ１と、オーバーフロー部材４によって槽体Ｂ１の側面に形成されたオーバーフロー排水口である第二の排水口Ｈ２から連続する第二の排水流路Ｐ２を備えており、第二の排水流路Ｐ２は合流部１８１において第一の排水流路Ｐ１と合流する。
従って、槽体Ｂ１内に排出された湯水は第一の排水口Ｈ１に流入し、エルボ管２、枝管部材８、排水トラップ１３、直管１００を通って下水側へと排出される。一方、第一の排水口Ｈ１に厨芥が詰まった場合や、栓蓋（図示せず）によって第一の排水口Ｈ１が閉塞されると、槽体Ｂ１内に湯水が貯留され、水位が上昇する。この時、水位がオーバーフロー部材４の下端よりも高くなると、余剰水が第二の排水口Ｈ２へと流入し、オーバーフロー部材４及び連結管５を通じて排水され、合流部１８１において第一の排水流路Ｐ１と合流する。
【００３３】
本発明の第一実施形態は以上である。ここで、第一実施形態において、第一の排水口Ｈ１は槽体Ｂ１の底面に形成されており、第二の排水口Ｈ２は同一の槽体Ｂ１の側面に形成されたオーバーフロー排水口であったが、図５及び図６に示す第二実施形態のように、第二の排水口Ｈ２が、他の槽体Ｂ３に形成された排水口であっても良い。
【００３４】
図５に示すように、第二実施形態に係る既設の排水配管は、流し台である槽体Ｂ２と槽体Ｂ３の２つの隣接する槽体を備え、槽体Ｂ２の底面には第一の排水口Ｈ１が形成されており、槽体Ｂ３の底面には第二の排水口Ｈ２が形成されている。
第一の排水口Ｈ１は槽体Ｂ１の底面に形成された開口に排水トラップ３が取り付けられることによって形成された排水口である。排水トラップ３は内部に封水を形成し、下流側からの臭気や害虫の逆流を防ぐ部材であり、その下端には直管１００が接続されているとともに、側面に形成された合流部８１には連結管５が接続されている。
第二の排水口Ｈ２は槽体Ｂ３の底面に形成された開口に排水口部材１１が取り付けられることによって形成された排水口であり、当該排水口部材１１には可撓性を有するホース管である連結管５が接続されている。
【００３５】
上記既設の排水配管は、第一の排水口Ｈ１から連続する第一の排水流路Ｐ１と、第二の排水口Ｈ２から連続し、合流部８１において第一の排水流路Ｐ１へと合流する第二の排水流路Ｐ２が形成されている。
【００３６】
次に、上記既設の排水配管の補修方法について説明する。尚、第二実施形態において、補修によって既設の排水配管と交換される新規の排水配管は、上記第一実施形態と同一であるため、同一の番号を付してその説明を省略する。
【００３７】
まず、既設の排水配管に対して、槽体Ｂ２より排水口部材１１及び連結管５を除く各部材を取り外す。
次に、槽体Ｂ２に対して排水口部材１、エルボ管２、枝管部材８、排水トラップ１３を接続する。この時、エルボ管２の横管部及び縦管部、及び直管１００を適宜切断するとともに、各部材の接続箇所を回転させることによって、排水トラップ１３が直管１００に接続できるように高さや位置合わせを行う。
次に、接続継手９に対し、ホース９１の長さを適宜切断して長さを調整した後、ホース９１の両端にソケット９２ａ、ソケット９２ｂ、ナット部材１７を取り付ける。そして、ソケット９２ａと既設の連結管５の端部に取り付けられたナット部材７を螺合させるとともに、ソケット９２ｂと合流部１８１を螺合させることによって、既設の連結管５と合流部１８１を接続する。
最後に、固定部９３にヒモ等の支持部材の一端を取り付け、槽体Ｂ１裏面に取り付けたフック１２０に支持部材の他端を取り付けることによって、連結管５又は接続継手９内部が逆勾配とならないように接続継手９を固定する。
【００３８】
上記各工程により補修された排水配管は、図６に示すように、排水口部材１によって槽体Ｂ２の底面に形成された排水口である第一の排水口Ｈ１から連続する第一の排水流路Ｐ１と、排水口部材１１によって槽体Ｂ３の底面に形成された排水口である第二の排水口Ｈ２から連続する第二の排水流路Ｐ２を備えており、第二の排水流路Ｐ２は合流部１８１において第一の排水流路Ｐ１と合流する。
従って、槽体Ｂ２内に排出された湯水は第一の排水口Ｈ１に流入し、エルボ管２、枝管部材８、排水トラップ１３、直管１００を通って下水側へと排出される。一方、槽体Ｂ３内に排出された湯水は第二の排水口Ｈ２へと流入し、排水口部材１１及び連結管５を通じて排水され、合流部１８１において第一の排水流路Ｐ１と合流する。
【００３９】
本発明によれば、排水配管の補修に伴い、合流部１８１が補修前の排水配管と異なる位置に配置された場合であっても、第二の排水流路Ｐ２を第一の排水流路Ｐ１に合流させることが可能となる。又、本発明は接続継手９によって既設の排水配管と合流部１８１を接続することから、既設の排水配管が硬化し、可撓性を失っている状態であっても、排水配管の補修を行うことができる。又、接続継手９は固定部９３に支持部材が取り付けられることによって固定されており、第二の排水流路Ｐ２内が逆勾配になることを防ぐことが可能となる。
【００４０】
本発明の実施形態は以上であるが、本発明は発明の要旨を逸脱しない範囲において、適宜変更を加えても良い。
例えば、槽体は流し台に限るものではなく、洗面台や浴槽であっても良い。
又、接続継手９は可撓性を有するホース管であったが、硬質の直管等を使用しても良い。この場合においても、作業者は現場において適宜接続継手の長さを調節し、合流部と既設の排水配管を接続することが可能となる。
【符号の説明】
【００４１】
Ｂ１、Ｂ２、Ｂ３            槽体
Ｈ１                        第一の排水口
Ｈ２                        第二の排水口
Ｐ１                        第一の排水流路
Ｐ２                        第二の排水流路
１、１１                    排水口部材
２                          エルボ管
３、１３                    排水トラップ
４                          オーバーフロー部材
５                          連結管
６                          ソケット
７、１７                    ナット部材
８                          枝管部材
８１、１８１                合流部
９                          接続継手
９１                        ホース
９２ａ、９２ｂ              ソケット
９３                        固定部
１００                      直管
１２０                      フック
【図１】
2020200624.tif 000003
【図２】
2020200624.tif 000004
【図３】
2020200624.tif 000005
【図４】
2020200624.tif 000006
【図５】
2020200624.tif 000007
【図６】
2020200624.tif 000008